(57)【要約】【課題】回動軸を中心に回動可能に接続された第一トレー部と、第二トレー部とを係止可能な光ファイバ収納用トレーにおいて、第一トレー部と第二トレー部の位置ずれを抑制すること。【解決手段】第一トレー部１１と、第二トレー部１２と、第一トレー部と第二トレー部を回動可能に接続するヒンジ１３と、を備えた光ファイバ収納用トレー１であって、第一トレー部は回動軸を中心に回動可能であり、第二トレー部に、第一トレー部の水平辺１６を支えることが可能な支持部１７を備えた構成とする。【選択図】図１
2018092068.tif 000002
【特許請求の範囲】
【請求項１】
第一トレー部と、第二トレー部と、第一トレー部と第二トレー部を回動可能に接続するヒンジと、を備えた光ファイバ収納用トレーであって、
第一トレー部は回動軸を中心に回動可能であり、
第二トレー部に、第一トレー部の水平辺と係合する支持部を備えた光ファイバ収納用トレー。
【請求項２】
第二トレー部の周縁に光ファイバを規制するガイド片を備え、支持部は、ガイド片から垂直方向に延びて形成されている請求項１に記載の光ファイバ収納用トレー。
【請求項３】
ガイド片は、底面から略垂直方向に延びた側面部と、側面部から略垂直に内方向に延びた天面部とを備え、支持部を天面部から突出させて形成した請求項２に記載の光ファイバ収納用トレー。
【請求項４】
ヒンジが設けられた側面と対向する側面側に形成されたガイド片に支持部が設けられた請求項２又は３に記載の光ファイバ収納用トレー。
【発明の詳細な説明】
【技術分野】
【０００１】
本発明は、光ファイバ収納用トレーに関するものである。
【背景技術】
【０００２】
特許文献１に記載されているように、光ファイバ収納用トレーには、トレー部同士をヒンジで接続した構成とすることが知られている。このような光ファイバ収納用トレーは回動によりトレー部を重ねた状態とすることが可能である。また、このような光ファイバ収納用トレーには、ヒンジが備えられた側面とは反対側の側面側に係止爪と係止凹部が設けられており、トレー部が重なった状態を維持することを可能としている。一方、この係止爪をヒンジから離間するように弾性変形させると、係止爪と係止凹部の係止状態が解除されるため、トレー部は回動可能な状態となる。
【先行技術文献】
【特許文献】
【０００３】
【特許文献１】特開平１１−１６７０２９号公報
【０００４】
ところで、ヒンジで支えられているトレー部の重みや外力等により、トレーの位置がずれてしまう場合がある。これに起因して係止爪と係止凹部との係止状態が解除されてしまい、トレー部が意図せず回動してしまう虞がある。
【発明の概要】
【発明が解決しようとする課題】
【０００５】
本件の発明者は、この点について鋭意検討することにより、解決を試みた。本発明の課題は、回動軸を中心に回動可能に接続された第一トレー部と、第二トレー部とを係止可能な光ファイバ収納用トレーにおいて、第一トレー部と第二トレー部の位置ずれを抑制することである。
【課題を解決するための手段】
【０００６】
上記課題を解決するため、次のような手段を採用する。第一の手段は、第一トレー部と、第二トレー部と、第一トレー部と第二トレー部を回動可能に接続するヒンジと、を備えた光ファイバ収納用トレーであって、第一トレー部は回動軸を中心に回動可能であり、第二トレー部に、第一トレー部の水平辺と係合する支持部を備えた光ファイバ収納用トレーである。
【０００７】
第一の手段において、第二トレー部の周縁に光ファイバを規制するガイド片を備え、支持部は、ガイド片から垂直方向に延びて形成されている構成とすることが好ましい。
【０００８】
また、ガイド片は、底面から略垂直方向に延びた側面部と、側面部から略垂直に内方向に延びた天面部とを備え、支持部を天面部から突出させて形成した構成とすることが好ましい。
【０００９】
また、ヒンジが設けられた側面と対向する側面側に形成されたガイド片に支持部が設けられた構成とすることが好ましい。
【発明の効果】
【００１０】
本発明では、上下方向に延びる回動軸を中心に回動可能に接続された第一トレー部と、第二トレー部とを係止可能な光ファイバ収納用トレーにおいて、第一トレー部と第二トレー部の位置ずれを抑制することが可能となる。
【図面の簡単な説明】
【００１１】
【図１】第一トレー部が開いた状態における光ファイバ収納用トレーの斜視図である。
【図２】第一トレー部が閉じた状態における光ファイバ収納用トレーの斜視図である。
【図３】光ファイバ収納用トレーの側面図である。
【図４】光ファイバ収納用トレーを備えたスプライスユニットの斜視図である。
【図５】支持部周りの部分拡大図である。
【図６】第二実施形態における光ファイバ収納用トレーの側面図である。
【発明を実施するための形態】
【００１２】
以下に発明を実施するための形態を示す。図１乃至図３に示すことから理解されるように、本実施形態の光ファイバ収納用トレー１は、第一トレー部１１と、第二トレー部１２を備えている。また、第一トレー部１１と第二トレー部１２を回動可能に接続するヒンジ１３と、を備えている。また、第一トレー部１１は回動軸を中心に回動可能であり、第一トレー部１１の水平辺１６と係合する支持部１７を第二トレー部１２に備えている。したがって、第一トレー部１１と第二トレー部１２の位置ずれを抑制することが可能となる。また、係止部１４における係止状態の解除を抑制することが可能となる。
【００１３】
本実施形態の光ファイバ収納用トレー１は、回動を抑制するために用いられる係止部１４を備えている。この係止部１４は、第二トレー部１２に設けられており、外方に突出した凸状に形成されている。この係止部１４は、第一トレー部１１に設けられた被係止部１８に嵌ることが可能なものであり、凹状に形成された被係止部１８に嵌ると第一トレー部１１の回動を抑制するように機能する。なお、この係止部１４はヒンジ１３が設けられた側面と対向する側面側に形成されている。
【００１４】
本実施形態の第一トレー部１１は、個々の光ファイバ同士を融着した箇所を収める融着トレーである。また、第二トレー部１２は光ファイバの曲率を所定の範囲に収めるために使用される複数の巻回部材を備えた余長収納トレーである。融着トレーは、この余長収納トレーに重ねられる。本実施の形態では、図４に示すように、第二トレー部１２である余長収納トレーの底面２３がスプライスユニット９に対向するように取り付けられている。なお、余長収納トレーには光ケーブルを収納する場合もある。
【００１５】
本実施形態の第二トレー部１２の周縁には、光ファイバを規制するガイド片２１を備えている。水平辺１６と係合する支持部１７は、このガイド片２１から垂直方向に延びて形成されている。したがって、支持部１７がガイド空間２２に配置された配線と干渉することが無い。また、第二トレー部１２内に配線される光ファイバが支持部１７と第一トレー部１１との間に挟まれることを防ぐことが可能となる。
【００１６】
本実施形態のガイド片２１は、底面２３から略垂直方向に延びた側面部２４と、側面部２４から略垂直に内方向に延びた天面部２５とを備えており、支持部１７は、この天面部２５から突出させて形成している。このため、側面に設けた配線開口２６を狭めることなく支持部１７を形成することができる。また、支持部１７を水平辺１６に近接する箇所から形成することができる。
【００１７】
本実施形態の支持部１７は、ヒンジ１３が設けられた側面と対向する側面側に形成されたガイド片２１に設けられている。したがって、収納された光ファイバによりガイド片２１が外側に撓んだ場合でも、支持部１７の上下方向の位置が変化せず、第一トレー部１１の垂れ下がりを抑制することが可能となる。
【００１８】
本実施形態の水平辺１６は第一トレー部１１の下端に設けられ、支持部１７は水平辺１６の外周側から支えることが可能である。このため、支持部１７が第一トレー部１１の外側に位置することができる。したがって、第一トレー部１１内における光ファイバを収納する空間の狭小化を回避しつつ、支持部１７を設けることが可能となる。なお、本実施形態では、第一トレー部１１の上端に沿っても天面部２５から突出した部位を形成しており、上下逆転して使用した場合には、この部位が支持部１７として機能する。
【００１９】
なお、図５に示すように、本実施形態の支持部１７には水平辺１６と当接可能な引掛部２７が設けられている。引掛部２７は水平辺１６が開方向に移動することを抑制可能なように設けられており、支持部１７より突出させて形成されている。この引掛部２７は、天面部２５との間に水平辺１６の一部を挟み込むことが可能なように設けられている。また、この引掛部２７には傾斜を設けている。この傾斜により、第一トレー部１１を保持する側に第一トレー部１１が接触することでガイド片２１を外側へ撓ませることができる。なお、この傾斜は曲線状とすることも直線状とすることもできる。また、本実施形態では、第一トレー部１１の上下双方に引掛部２７を設けており、その双方が、第一トレー部１１が開くことを抑制するように機能している。
【００２０】
次に、第二実施形態について説明する。図６に示すように、本実施形態では第二トレー部１２は概略直方体状に形成されており、ヒンジ１３が設けられた側面と隣接する側面である下側の側面に形成されたガイド片２１に支持部１７を設けている。このような形態でも、支持部１７が第一トレー部１１を支持可能である。
【００２１】
以上、二つの例を中心に実施形態を説明してきたが、本発明は上記実施形態に限定されることはなく、各種の態様とすることが可能である。例えば、融着トレーと余長収納トレーからなるものとする必要は無く、三つ以上のトレー部を組み合わせて構成することができる。また、二つのトレー部からなるものであっても、実施形態で説明した用途と異なる使用方法で使用されるトレー部を組み合わせたものとしても良い。
【符号の説明】
【００２２】
１  光ファイバ収納用トレー
１１  第一トレー部
１２  第二トレー部
１３  ヒンジ
１４  係止部
１５  回動軸
１６  水平辺
１７  支持部
２１  ガイド片
２３  底面
２４  側面部
２５  天面部
【図１】
2018092068.tif 000003
【図２】
2018092068.tif 000004
【図３】
2018092068.tif 000005
【図４】
2018092068.tif 000006
【図５】
2018092068.tif 000007
【図６】
2018092068.tif 000008